(57)【要約】【課題】短絡事故を防止することができ、さまざまな計器の端子に安定した状態で電気的に接続可能で、電線を挟み込んで電気的に接続することもできる計器用測定クリップを提供する。【解決手段】第１クリップ片１１および第２クリップ片２１は、互いに一端が開閉するよう中間部で回転可能に結合している。バネは、第１クリップ片１１および第２クリップ片２１を互いに一端が閉じるよう付勢して設けられている。結合片３１は、導電性を有し、第１クリップ片１１の幅より細く、第１クリップ片１１の第２クリップ片２１と対向する側に第１クリップ片１１の幅内で設けられている。結合片３１は、第１クリップ片１１の一端より突出している。結合片３１は、第２クリップ片２１の側に突出する鋸歯部３３を有し、突起３４が第２クリップ片２１の側に折れ曲がっている。【選択図】図１
2005294071.tif 000002
【特許請求の範囲】
【請求項１】
第１クリップ片と第２クリップ片とバネと結合片とを有し、
前記第１クリップ片および前記第２クリップ片は互いに一端が開閉するよう中間部で回転可能に結合し、
前記バネは前記第１クリップ片および前記第２クリップ片を互いに前記一端が閉じるよう付勢して設けられ、
前記結合片は導電性を有し前記第１クリップ片の幅より細く前記第１クリップ片の前記第２クリップ片と対向する側に前記第１クリップ片の幅内で設けられ前記一端より突出していることを、
特徴とする計器用測定クリップ。
【請求項２】
前記結合片は前記第２クリップ片の側に突出する鋸歯部を有し前記先端が前記第２クリップ片の側に折れ曲がり、
前記第１クリップ片および前記第２クリップ片が互いに前記一端を閉じた状態で前記結合片が前記鋸歯部で前記第２クリップ片と当接することを、
特徴とする請求項1記載の計器用測定クリップ。
【発明の詳細な説明】
【技術分野】
【０００１】
本発明は、計器用測定クリップに関する。
【背景技術】
【０００２】
電気配線工事が終了すると、電力量計や安全ブレーカの端子などへ測定器を接続して、電圧や相の確認を行っている。従来、この端子などへの電気的な接続を得るために、ワニ口クリップによりねじの頭やねじ山をワニ口の歯で挟み込んでいた。また、電線の外皮を剥離して、ワニ口の歯で挟み込んで接続を行う場合もあった。なお、端子間のピッチやサイズは、計器によりまちまちである。
【０００３】
しかし、ワニ口クリップでは、ねじの頭と端子台の部分に十分な隙間がないと外れやすく、ねじの頭部もすべりやすいため安定した接続を得ることが困難であるという問題があった。また、ワニ口クリップの構造上、大きく開いた状態で端子に接近すると隣の端子と接触したり、複数個のワニ口端子を接続すると隣接するワニ口の金属露出部どうしが接触したりして短絡事故を発生することがあるという問題もあった。
【０００４】
このような問題を解決するために、接続用クリップが提案されている。すなわち、開方向に付勢され、端子の両側に設けられた隔壁に、接触導通部を設けた先端部の外側面を当接させて、安定した状態で端子に接続可能なもの（例えば、特許文献１参照）や、閉方向に付勢され、一方の先端を長くして端子台の外側面に支持させ、安定した状態で端子に接続可能なものがある（例えば、特許文献２参照）。
【０００５】
【特許文献１】特開２００２−１６４０９９号公報
【特許文献２】特開２００２−１７５８４６号公報
【発明の開示】
【発明が解決しようとする課題】
【０００６】
しかしながら、特許文献１記載の接続用クリップは、端子に線径が大きい電線を入れて固定すると、端子のねじの頭が高くなりねじの頭と隔壁の間の隙間が十分にとれず、また隔壁の高さも元々そう高くないないため、安定した接触を得ることが困難であるという課題があった。特許文献１および２記載の接続用クリップは、ねじの頭と隔壁の隙間がほとんどない端子には使用できないなど、さまざまな計器の端子に使用できないという課題があった。また、電線を挟み込んで電気的に接続することもできないという課題もあった。
【０００７】
本発明は、このような課題に着目してなされたもので、短絡事故を防止することができ、さまざまな計器の端子に安定した状態で電気的に接続可能で、電線を挟み込んで電気的に接続することもできる計器用測定クリップを提供することを目的としている。
【課題を解決するための手段】
【０００８】
上記目的を達成するために、本発明に係る計器用測定クリップは、第１クリップ片と第２クリップ片とバネと結合片とを有し、前記第１クリップ片および前記第２クリップ片は互いに一端が開閉するよう中間部で回転可能に結合し、前記バネは前記第１クリップ片および前記第２クリップ片を互いに前記一端が閉じるよう付勢して設けられ、前記結合片は導電性を有し前記第１クリップ片の幅より細く前記第１クリップ片の前記第２クリップ片と対向する側に前記第１クリップ片の幅内で設けられ前記一端より突出していることを、特徴とする。
【０００９】
本発明に係る計器用測定クリップは、結合片にリード線などを電気的に接続し、電力量計や安全ブレーカの端子などへ測定器を接続するために使用される。バネが第１クリップ片および第２クリップ片を互いに一端が閉じるよう付勢して設けられているため、第１クリップ片の一端から突出した結合片と、第２クリップ片の一端とで端子を挟んで電気的に接続することができる。例えば、端子のねじの頭と隔壁との隙間がほとんどない場合でも、結合片をねじの頭に接触させて、結合片と第２クリップ片とで隔壁などとともに端子を挟んで電気的に接続することができる。また、端子間のピッチやサイズがさまざまに異なっても、結合片を端子に接触させた状態で端子を挟んで電気的に接続することができる。このように、さまざまな計器の端子に安定した状態で電気的に接続可能である。
【００１０】
また、結合片と第２クリップ片とで外皮を剥離した電線を挟み込んで、電気的に接続することもできる。
結合片が第１クリップ片の幅より細く、第１クリップ片の一端より突出して設けられているため、端子と隔壁との隙間や端子同士の隙間が狭い場合でも、結合片を隙間に挿入して接続することができる。また、結合片が第１クリップ片の一端より突出して設けられているため、結合片を確認しながら容易に接続することができる。
【００１１】
第１クリップ片および第２クリップ片は、樹脂などの非導電性の材質から成る。このため、第２クリップ片が隣の端子に接触したり、複数個を使用するときに第１クリップ片や第２クリップ片が互いに接触したりしても、電気的に接続しないため、短絡事故を防止することができる。また、強度をあげるため、結合片が第２クリップ片に向かって幅方向に湾曲していてもよい。この場合、ねじの曲面に合わせて、安定した状態で接続することができる。
【００１２】
本発明に係る計器用測定クリップで、前記結合片は前記第２クリップ片の側に突出する鋸歯部を有し前記先端が前記第２クリップ片の側に折れ曲がり、前記第１クリップ片および前記第２クリップ片が互いに前記一端を閉じた状態で前記結合片が前記鋸歯部で前記第２クリップ片と当接することが好ましい。
【００１３】
この鋸歯部を有する構成では、結合片の先端が第２クリップ片の側に折れ曲がっているため、端子のねじの頭やねじ山に容易に引っ掛けることができる。このため、ねじの頭ですべったりして結合片がはずれるのを防ぐことができ、より安定した状態で電気的に接続することができる。また、第１クリップ片および第２クリップ片が互いに一端を閉じた状態で結合片の鋸歯部が第２クリップ片と当接するため、鋸歯部と第２クリップ片とで外皮を剥離した電線を挟み込んで電気的に接続することができる。鋸歯部により、電線を確実に安定した状態で挟み込むことができる。また、結合片の先端に荷重がかかり過ぎて結合片が折れるのを防止することができる。なお、結合片の先端が第２クリップ片の一端に当たらないよう、第２クリップ片の一端に凹部を設けることが好ましい。
【発明の効果】
【００１４】
本発明によれば、短絡事故を防止することができ、さまざまな計器の端子に安定した状態で電気的に接続可能で、電線を挟み込んで電気的に接続することもできる計器用測定クリップを提供することができる。
【発明を実施するための最良の形態】
【００１５】
以下、図面に基づき、本発明の実施の形態について説明する。
図１および図４は、本発明の実施の形態の計器用測定クリップを示している。
図１に示すように、計器用測定クリップ１０は、第１クリップ片１１と第２クリップ片２１とバネ（図示せず）と結合片３１とケーブル接続部４１とを有している。
【００１６】
第１クリップ片１１は、非導電性の樹脂から成り、断面がほぼ矩形の板状に形成されている。第１クリップ片１１は、１対の回転支持部１２と一端１３と他端１４とを有している。各回転支持部１２は、第１クリップ片１１の長さ方向に沿った両縁から一方の面１１ａに対して垂直に立ち上がり、その面を幅方向で挟むよう対向して設けられている。各回転支持部１２は、中央の互いに対向する位置に回転支持孔１５を有している。第１クリップ片１１には、面１１ａに一端１３の側で幅方向の中央に長さ方向に沿った溝１６が形成されている。第１クリップ片１１には、溝１６の端部から他端１４まで長さ方向に貫通するケーブル用孔（図示せず）が形成されている。他端１４は、面１１ａの反対側の面に滑り止め用の凹凸１１ｂを有している。
【００１７】
第２クリップ片２１は、非導電性の合成樹脂から成り、断面がほぼ矩形の板状に形成されている。第２クリップ片２１は、１対の回転基部２２と一端２３と他端２４とを有している。各回転基部２２は、第２クリップ片２１の長さ方向に沿った両縁から一方の面２１ａに対して垂直に立ち上がり、その面を幅方向で挟むよう対向して設けられている。各回転基部２２は、側面の互いに対称の位置に外側に突出する軸部２５を有している。一端２３には、面２１ａに凹部２６を有している。一端２３には、凹部２６を挟む面２１ａに滑り止め用のゴム２７が貼り付けられている。他端２４は、面２１ａの反対側に鈍角で折り曲げられ、面２１ａの反対側の面に滑り止め用の凹凸２１ｂを有している。
【００１８】
第１クリップ片１１および第２クリップ片２１は、一端１３と一端２３、他端１４と他端２４、面１１ａと面２１ａとを互いに対向させ、各回転支持部１２の間に各回転基部２２を挿入し、各回転支持孔１５に各軸部２５を嵌合して、一端１３と一端２３が開閉するよう回転可能に結合して設けられている。
バネは、金属製のねじりバネから成り、第１クリップ片１１と第２クリップ片２１との間で１対の軸部２５の間に設けられている。バネは、一端が第１クリップ片１１に取り付けられ、他端が第２クリップ片２１に取り付けられて、第１クリップ片１１および第２クリップ片２１を一端１３および一端２３が互いに閉じるよう付勢して設けられている。
【００１９】
結合片３１は、金属製の細長い板材から成り、導電性を有している。結合片３１は、第１クリップ片１１の幅より細く形成され、第１クリップ片１１の溝１６に挿入して固定されている。結合片３１は、先端３２と１対の鋸歯部３３とを有している。先端３２は、第１クリップ片１１の一端１３より突出して設けられている。図２（ａ）に示すように、先端３２は、強度をあげるため、第２クリップ片２１の側が凹むよう横断面が湾曲している。先端３２は、第２クリップ片２１の側に折れ曲がった突起３４を有している。先端３２は、一端１３および一端２３が互いに閉じたとき、突起３４が一端２３の凹部２６に挿入され、第２クリップ片２１の一端２３に当たらないよう構成されている。各鋸歯部３３は、結合片３１の長さ方向に沿った両縁から垂直に立ち上がり、互いに対向して設けられている。各鋸歯部３３は、溝１６から第２クリップ片２１の側に突出し、第１クリップ片１１の一端１３および第２クリップ片２１の一端２３が互いに閉じた状態で、第２クリップ片２１と当接するよう構成されている。
【００２０】
図１に示すように、ケーブル接続部４１は、細長く構成され、内部に導電性のケーブルが貫通している。ケーブル接続部４１は、一端が第１クリップ片１１の他端１４のケーブル用孔に挿入され、結合片３１に電気的に接続されている。ケーブル接続部４１は、内部のケーブルに電気的に接続可能な接続端子４２を他端に有している。
【００２１】
次に、作用について説明する。
計器用測定クリップ１０は、第１クリップ片１１の他端１４と第２クリップ片２１の他端２４とを指でつまんで、ケーブル接続部４１の接続端子４２にリード線などを電気的に接続し、電力量計や安全ブレーカの端子１などへ測定器を接続するために使用される。図３に示すように、バネが第１クリップ片１１の一端１３および第２クリップ片２１の一端２３を互いに閉じるよう付勢して設けられているため、一端１３から突出した結合片３１と、一端２３とで端子１を挟んで電気的に接続することができる。例えば、端子１のねじの頭と隔壁２との隙間がほとんどない場合でも、結合片３１をねじの頭に接触させて、結合片３１と一端２３とで隔壁２などとともに端子１を挟んで電気的に接続することができる。また、端子１間のピッチやサイズがさまざまに異なっても、結合片３１を端子１に接触させた状態で端子１を挟んで電気的に接続することができる。このように、さまざまな計器の端子１に安定した状態で電気的に接続可能である。
【００２２】
また、結合片３１の突起３４が第２クリップ片２１の側に折れ曲がっているため、端子１のねじの頭やねじ山に容易に引っ掛けることができる。このため、ねじの頭からすべって結合片３１がはずれるのを防ぐことができ、より安定した状態で電気的に接続することができる。図２（ｂ）に示すように、結合片３１の先端３２が湾曲しているため、ねじの曲面に合わせてさらに安定した状態で接続することができる。
【００２３】
また、結合片３１と一端２３とで外皮を剥離した電線を挟み込んで、電気的に接続することもできる。一端１３および一端２３が互いに閉じた状態で、結合片３１の鋸歯部３３が一端２３と当接するため、鋸歯部３３と一端２３とで外皮を剥離した電線を挟み込んで電気的に接続することができる。鋸歯部３３により、電線を確実に安定した状態で挟み込むことができる。また、結合片３１の先端３２に荷重がかかり過ぎて結合片３１が折れるのを防止することができる。
【００２４】
図４に示すように、結合片３１が第１クリップ片１１の幅より細く、先端３２が一端１３より突出して設けられているため、端子１と隔壁２との隙間や端子１同士の隙間が狭い場合でも、先端３２を隙間に挿入して接続することができる。また、図３（ａ）に示すように、結合片３１の先端３２が一端１３より突出して設けられているため、先端３２を確認しながら容易に接続することができる。
【００２５】
第１クリップ片１１および第２クリップ片２１が非導電性の材質から成るため、第２クリップ片２１が隣の端子１に接触したり、図３（ｂ）に示すように複数個を使用するときに第１クリップ片１１や第２クリップ片２１が互いに接触したときにも、電気的に接続しないため、短絡事故を防止することができる。
【図面の簡単な説明】
【００２６】
【図１】本発明の実施の形態の計器用測定クリップを示す（ａ）閉じた状態の斜視図、（ｂ）開いた状態の斜視図である。
【図２】図１に示す計器用測定クリップの結合片の（ａ）接続部を示す拡大斜視図、（ｂ）接続部を端子に接続した状態を示す使用状態図である。
【図３】図１に示す計器用測定クリップの使用状態を示す（ａ）側面図、（ｂ）平面図である。
【図４】図１に示す計器用測定クリップの結合片の接続部を端子に接続した状態を示す使用状態図である。
【符号の説明】
【００２７】
１    端子
２    隔壁
１０  計器用測定クリップ
１１  第１クリップ片
１２  回転支持部
１３  第１挟持部
１４  第１ハンドル
１５  回転支持孔
１６  溝
２１  第２クリップ片
２２  回転軸部
２３  第２挟持部
２４  第２ハンドル
２５  回転凸部
２６  凹部
２７  ゴム
３１  結合片
３２  接続部
３３  鋸歯部
３４  先端
４１  ケーブル接続部
４２  接続端子
【図１】
2005294071.tif 000003
【図２】
2005294071.tif 000004
【図３】
2005294071.tif 000005
【図４】
2005294071.tif 000006
【手続補正書】
【提出日】平成16年4月15日(2004.4.15)
【手続補正１】
【補正対象書類名】明細書
【補正対象項目名】０００６
【補正方法】変更
【補正の内容】
【０００６】
しかしながら、特許文献１記載の接続用クリップは、端子に線径が大きい電線を入れて固定すると、端子のねじの頭が高くなりねじの頭と隔壁の間の隙間が十分にとれず、また隔壁の高さも元々そう高くないため、安定した接触を得ることが困難であるという課題があった。特許文献１および２記載の接続用クリップは、ねじの頭と隔壁の隙間がほとんどない端子には使用できないなど、さまざまな計器の端子に使用できないという課題があった。また、電線を挟み込んで電気的に接続することもできないという課題もあった。
【手続補正２】
【補正対象書類名】明細書
【補正対象項目名】００２７
【補正方法】変更
【補正の内容】
【００２７】
１    端子
２    隔壁
１０  計器用測定クリップ
１１  第１クリップ片
１２  回転支持部
１３  一端
１４  他端
１５  回転支持孔
１６  溝
２１  第２クリップ片
２２  回転基部
２３  一端
２４  他端
２５  軸部
２６  凹部
２７  ゴム
３１  結合片
３２  先端
３３  鋸歯部
３４  突起
４１  ケーブル接続部
４２  接続端子